(57)【要約】【課題】映像情報をその特徴に応じて数値化することによって、客観的に当該映像情報を配信する際の変換処理の最適化を図ることを可能とする。【解決手段】本発明は、画像信号及び音声信号を含む映像情報を配信する際の変換処理を行う映像変換システム２０に関する。本発明に係る映像変換システム２０は、映像情報の特徴を表す複数の一次数値を抽出する一次数値抽出部２２と、複数の一次数値による映像情報の圧縮処理に対する影響度を記憶する影響度記憶部２２と、抽出された複数の一次数値と影響度とに基づいて映像情報についての変換処理を行う変換部２５とを具備する。【選択図】  図２
2004336171.tif 000002
【特許請求の範囲】
【請求項１】
画像信号及び音声信号を含む映像情報を配信する際の変換処理を行う映像変換システムであって、
前記映像情報の特徴を表す複数の一次数値を抽出する一次数値抽出部と、
前記複数の一次数値による映像情報の圧縮処理に対する影響度を記憶する影響度記憶部と、
抽出された前記複数の一次数値と前記影響度とに基づいて、前記映像情報についての前記変換処理を行う変換部とを具備することを特徴とする映像変換システム。
【請求項２】
前記一次数値抽出部は、前記映像情報から輝度信号スペクトル又は色信号スペクトルの少なくとも一つを抽出し、抽出した各スペクトルの情報量平均偏差及び情報量急変発生頻度を前記一次数値として抽出することを特徴とする請求項１に記載の映像変換システム。
【請求項３】
前記一次数値抽出部は、前記映像情報から動きベクトルを抽出し、抽出した該動きベクトルの動き量偏差及び動き量急変発生頻度を前記一次数値として抽出することを特徴とする請求項１又は２に記載の映像変換システム。
【請求項４】
前記一次数値抽出部は、前記映像情報から音声信号スペクトルを抽出し、抽出した該音声信号スペクトルの情報量平均偏差及び情報量急変発生頻度を前記一次数値として抽出することを特徴とする請求項１乃至３のいずれか一項に記載の映像変換システム。
【請求項５】
前記一次数値の前記圧縮処理に対する影響度は、変換処理後に測定された映像情報の品質結果、配信後に測定された映像情報の品質結果、ベンチマークテストによって取得された映像情報の品質結果の少なくとも一つに基づいて最適値に更新されることを特徴とする請求項１乃至４のいずれか一項に記載の映像変換システム。
【請求項６】
画像信号及び音声信号を含む映像情報を配信する際の変換処理を行う映像変換方法であって、
前記映像情報の特徴を表す複数の一次数値を抽出する工程と、
前記複数の一次数値による映像情報の圧縮処理に対する影響度を記憶する工程と、
抽出された前記複数の一次数値と前記影響度とに基づいて、前記映像情報についての前記変換処理を行う工程とを有することを特徴とする映像変換方法。
【発明の詳細な説明】
【０００１】
【発明の属する技術分野】
本発明は、画像信号及び音声信号を含む映像情報を配信する際の変換処理を行う映像変換システム及び映像変換方法に関する。特に、本発明は、ネットワークを介して広告映像を配信する際の変換処理を行う映像変換システム及び映像変換方法に関する。
【０００２】
【従来の技術】
従来から、放送ネットワークを介した広告映像のテレビ受信端末への配信（テレビＣＭの放送）が知られている。図１０（ａ）を参照して、かかる従来の広告映像の配信方法について説明する。
【０００３】
図１０（ａ）に示す広告映像の配信方法（放送方法）では、広告制作者が、ステップ５００１において、広告映像を撮影し、ステップ５００２において、撮影した広告映像を編集し、ステップ５００３において、編集した広告映像を所定の録画形式（アナログ形式又はディジタル形式）で記録媒体（ビデオテープ等）に録画して放送局に引き渡す。
【０００４】
そして、放送局が、ステップ５００４において、記録媒体に録画されている広告映像について所定の変調方式で変調処理を行い、ステップ５００５において、放送ネットワークを介して、変調処理を施された広告映像信号を放送する。
【０００５】
その後、ステップ５００６において、視聴者宅に設けられたテレビ受信端末が受信した広告映像信号から広告映像を復調し、ステップ５００７において、視聴者がテレビ受信端末を介して当該広告映像を視聴する。
【０００６】
かかる広告映像の配信方法（放送方法）では、広告映像の記録媒体への録画形式が放送と良好な品質を保持できる技術連動を前提として定められ、かつ放送局が提供する配信伝送速度（データレート）も広告映像の品質を十分に保持する量が確保されている。よって、かかる広告映像の配信方法（放送方法）では、視聴者によって視聴される広告映像の品質を一定以上の水準に保つことができる。
【０００７】
一方、近年、ＡＤＳＬ網や光ファイバ網等のブロードバンドネットワークを介した広告映像の配信が盛んに行われるようになってきている。図１０（ｂ）を参照して、かかる広告映像の配信方法を説明する。
【０００８】
図１０（ｂ）に示す広告映像の配信方法では、広告制作者が、ステップ６００１において、広告映像を撮影し、ステップ６００２において、撮影した広告映像を編集し、ステップ６００３において、編集した広告映像を記録媒体（ビデオテープ等）に保存して配信サービス提供者（例えば、インターネットサービスプロバイダ等）に引き渡す。
【０００９】
そして、配信サービス提供者が、ステップ６００４において、保存されている広告映像について配信規格に基づいて変換処理（例えば、符号化処理や圧縮処理）を行うことによって映像データとし、ステップ６００５において、ブロードバンドネットワークを介して当該映像データを配信する。ここで、配信規格には、圧縮方式や画素数や画像信号の配信伝送速度（データレート）や画像信号フレームレートや音声信号の配信伝送速度（データレート）や音声信号サンプリングレート等が含まれる。
【００１０】
その後、ステップ６００６において、視聴者宅に設けられた受信端末（例えば、映像再生プログラムがインストールされているＰＣ端末等）が受信した映像データから広告映像を逆変換し、ステップ６００７において、視聴者が受信端末を介して当該広告映像を視聴する。
【００１１】
【非特許文献１】
ユニ通信社発行、「ＣＭ通信」、第３７１０号、平成１５年４月３日
【００１２】
【発明が解決しようとする課題】
しかしながら、従来のブロードバンドネットワークを介した広告映像の配信方法では、広告映像の品質を十分に保持できる配信伝送速度（データレート）が配信時に確保されず、広告映像の圧縮作業が常に必要である上に、配信サービス提供者毎に配信サービスを提供する際に用いる配信規格が異なり、技術革新による配信規格の変更も頻繁に行われる。よって、特定の配信規格によって広告映像についての変換処理（符号化処理や圧縮処理等）が行われた場合、視聴者によって視聴される広告映像の品質を一定以上の水準に保つことができない事態が発生する可能性があるという問題点があった。
【００１３】
そこで、本発明は、以上の点に鑑みてなされたもので、映像情報をその特徴に応じて数値化することによって、客観的に当該映像情報を配信する際の変換処理の最適化を図ることができ、視聴者によって視聴される映像情報の品質を一定以上の水準に保つことを可能とする映像変換システム及び映像変換方法を提供することを目的とする。
【００１４】
【課題を解決するための手段】
本発明の第１の特徴は、画像信号及び音声信号を含む映像情報を配信する際の変換処理を行う映像変換システムであって、前記映像情報の特徴を表す複数の一次数値を抽出する一次数値抽出部と、前記複数の一次数値による映像情報の圧縮処理に対する影響度を記憶する影響度記憶部と、抽出された前記複数の一次数値と前記影響度とに基づいて、前記映像情報についての前記変換処理を行う変換部とを具備することを要旨とする。
【００１５】
ここで、映像情報を配信する際の変換処理には、映像情報についての符号化処理や圧縮処理等が含まれる。
【００１６】
かかる発明によれば、変換部が、映像情報の特徴を表す複数の一次数値と、当該一次数値による映像情報の圧縮処理に対する影響度とに基づいて、当該映像情報についての圧縮し難さを算出することができる。その結果、変換部は、当該圧縮し難さに基づいて、上述の変換処理の一つである圧縮処理の最適化を図ることによって、視聴者によって視聴される広告映像の品質を一定以上の水準に保つことが可能となる。
【００１７】
また、本発明の第１の特徴において、前記一次数値抽出部が、前記映像情報から輝度信号スペクトル又は色信号スペクトルの少なくとも一つを抽出し、抽出した各スペクトルの情報量平均偏差及び情報量急変発生頻度を前記一次数値として抽出することが好ましい。
【００１８】
また、本発明の第１の特徴において、前記一次数値抽出部が、前記映像情報から動きベクトルを抽出し、抽出した該動きベクトルの動き量偏差及び動き量急変発生頻度を前記一次数値として抽出することが好ましい。
【００１９】
また、本発明の第１の特徴において、前記一次数値抽出部が、前記映像情報から音声信号スペクトルを抽出し、抽出した該音声信号スペクトルの情報量平均偏差及び情報量急変発生頻度を前記一次数値として抽出することが好ましい。
【００２０】
また、本発明の第１の特徴において、前記一次数値の前記圧縮処理に対する影響度が、変換処理後に測定された映像情報の品質結果、配信後に測定された映像情報の品質結果、ベンチマークテストによって取得された映像情報の品質結果の少なくとも一つに基づいて最適値に更新されることが好ましい。
【００２１】
本発明の第２の特徴は、画像信号及び音声信号を含む映像情報を配信する際の変換処理を行う映像変換方法であって、前記映像情報の特徴を表す複数の一次数値を抽出する工程と、前記複数の一次数値の映像情報の圧縮処理に対する影響度を記憶する工程と、抽出された前記複数の一次数値と前記影響度とに基づいて、前記映像情報についての前記変換処理を行う工程とを有することを要旨とする。
【００２２】
【発明の実施の形態】
（本発明の一実施形態に係るシステムの構成）
本発明の一実施形態に係るシステムの構成について、図１乃至図６を参照して説明する。図１に示すように、本実施形態に係るシステムの構成は、再生端末１０と、映像変換システム２０と、配信システム４０とによって形成されている。
【００２３】
ここで、広告制作者によって撮影され、編集され、記録媒体に保存された広告情報等の原映像情報１は、映像変換システム２０によって変換処理を施され、配信システム４０によってネットワークＡを介して配信用映像データ２として再生端末１０に配信される。
【００２４】
映像変換システム２０は、画像信号及び音声信号を含む映像情報を配信する際の変換処理を行うものである。映像変換システム２０は、図２に示すように、原映像情報取得部２１と、映像内容数値化部２２と、配信規格取得部２３と、最適値解析部２４と、変換部２５と、変換後品質測定部２６と、配信後品質測定部２７と、ベンチマークテスト結果取得部２８とを具備している。
【００２５】
原映像情報取得部２１は、広告制作者によって撮影され、編集され、記録媒体に保存された広告情報等の映像情報を取得するものである。ここで、原映像情報取得部２１は、ビデオテープやＤＶＤディスク等の任意の記録媒体に、アナログ形式やディジタル形式等の任意の録画形式で保存されている映像情報を取得することができる。また、原映像情報取得部２１は、ネットワークを介して映像情報を取得するように構成されていてもよい。
【００２６】
映像内容数値化部２２は、取得した映像情報の内容を数値化するものである。本実施形態において、映像内容数値化部２２は、映像情報の特徴を表す複数の一次数値を抽出する一次数値抽出部を構成する。また、映像内容数値化部２２は、複数の一次数値による映像情報の圧縮処理に対する影響度を記憶する影響度記憶部を構成する。
【００２７】
具体的には、映像内容数値化部２２は、取得した映像情報から、輝度信号スペクトル及び色信号スペクトルを抽出し、抽出した各スペクトルの情報量平均偏差及び情報量急変発生頻度を一次数値として抽出する。
【００２８】
また、映像内容数値化部２２は、取得した映像情報から、動きベクトルを抽出し、抽出した動きベクトルの動き量平均偏差及び動き量急変発生頻度を一次数値として抽出する。
【００２９】
また、映像内容数値化部２２は、取得した映像情報から、音声信号スペクトルを抽出し、抽出した音声信号スペクトルの情報量平均偏差及び情報量急変発生頻度を一次数値として抽出する。
【００３０】
ここで、輝度信号スペクトルの特徴である「情報量平均偏差」は、一画面内における「水平方向の明暗変化の細かさ（縦縞ピッチ）を示す値」及び「垂直方向の明暗変化の細かさ（横縞ピッチ）を示す値」による二次元空間情報量（輝度信号スペクトル量）の単位時間あたりの平均偏差値である。
【００３１】
輝度信号スペクトルの特徴である「情報量急変発生頻度」は、上述の情報量平均偏差に対する急激な変化の単位時間あたりに発生する頻度である。すなわち、「情報量急変発生頻度」は、単位時間あたりのカット変わり（シーンチェンジ）や短いインサートカットや画面の点滅等の発生頻度を示すものである。
【００３２】
色信号スペクトルの特徴である「情報量平均偏差」は、一画面内における「水平方向の色変化の細かさ（縦縞ピッチ）を示す値」と「垂直方向の色変化の細かさ（横縞ピッチ）を示す値」による二次元空間情報量（色信号スペクトル量）の単位時間あたりの平均偏差値である。
【００３３】
色信号スペクトルの特徴である「情報量急変発生頻度」は、上述の情報量平均偏差に対する急激な変化の単位時間あたりに発生する頻度である。すなわち、「情報量急変発生頻度」は、単位時間あたりのカット変わり（シーンチェンジ）や短いインサートカットや画面の点滅等の発生頻度を示すものである。
【００３４】
動きベクトルの特徴である「動き量平均偏差」は、連続する二画像間における画像信号の移動量（動き量）の単位時間あたりの平均偏差値である。
【００３５】
動きベクトルの特徴である「動き量急変発生頻度」は、上述の動き量平均偏差に対する急激な変化の単位時間あたりに発生する頻度である。すなわち、「動き量急変発生頻度」は、動き量平均偏差に対して特別に動きの激しい点の発生頻度を示すものである。ここで、「動き量急変発生頻度」は、既存の「二値画像相関法」や「輝度勾配二値化法」等の動き測定技術によって算出される。
【００３６】
音声信号スペクトルの特徴である「情報量平均偏差」は、スペクトラム（音域）の広がりと各周波数帯域の音圧（音量）の変化とに基づいて算出した二次元空間情報量（音声スペクトル量）の単位時間あたりの平均偏差値である。例えば、音声信号がオーケストラである場合、一般的に、スペクトラムの広がりが大きく、音圧の変化も大きいものと考えられ、情報量平均偏差が大きいものと考えられる。逆に、音声信号が単調なパルス音や一人のナレーションである場合、一般的に、スペクトラムの広がりが小さく、音圧の変化も小さいものと考えられ、情報量平均偏差が小さいものと考えられる。
【００３７】
音声信号スペクトルの特徴である「情報量急変発生頻度」は、上述の情報量平均偏差に対する急激な変化の単位時間あたりに発生する頻度である。
【００３８】
また、映像内容数値化部２２は、図３に示すように、「スペクトルの種類」と「情報量平均偏差（又は、動き量平均偏差）に対応する影響度」と「情報量急変発生頻度（又は、動き量急変発生頻度）に対応する影響度」とを関連付けて記憶する。
【００３９】
「情報量平均偏差（又は、動き量平均偏差）に対応する影響度」は、各情報量平均偏差（又は、動き量平均偏差）が、当該映像情報についての圧縮処理に与える影響の度合を示すものであり、「情報量急変発生頻度（又は、動き量急変発生頻度）に対応する影響度」は、各情報量急変発生頻度（又は、動き量急変発生頻度）が、当該映像情報についての圧縮処理に与える影響の度合を示すものである。「情報量平均偏差（又は、動き量平均偏差）に対応する影響度」及び「情報量急変発生頻度（又は、動き量急変発生頻度）に対応する影響度」は、実測により算出されるものである。
【００４０】
また、「情報量平均偏差（又は、動き量平均偏差）に対応する影響度」及び「情報量急変発生頻度（又は、動き量急変発生頻度）に対応する影響度」は、変換後品質測定部２６によって測定された変換処理後の映像情報の品質結果（後述）、配信後品質測定部２７によって測定された配信後の映像情報の品質結果（後述）、ベンチマークテスト結果取得部２８によって取得された映像情報の品質結果（後述）の少なくとも一つに基づいて更新されるように構成されている。
【００４１】
また、映像内容数値化部２２は、抽出された複数の一次数値と、記憶されている一次数値の各々に対応する影響度とに基づいて、二次数値（第１の係数）を算出する。ここで、二次数値には、画像耐圧縮係数及び音声耐圧縮係数が含まれる。
【００４２】
画像耐圧縮係数は、画像信号（輝度信号スペクトル、色信号スペクトル、動きベクトル等）から算出された一次数値とこれに対応する影響度に基づいて算出されるものであり、画像信号についての圧縮し難さ（又は、圧縮し易さ）を示すものである。一方、音声耐圧縮係数は、音声信号（音声信号スペクトル等）から算出された一次数値とこれに対応する影響度に基づいて算出されるものであり、音声信号についての圧縮し難さ（又は、圧縮し易さ）を示すものである。
【００４３】
配信規格取得部２３は、映像情報の配信方法を示す配信規格を取得するものである。配信規格取得部２３は、ネットワークを介して配信システム４０から配信規格を取得するように構成されていてもよいし、記録媒体に記録されている配信規格を取得するように構成されていてもよい。
【００４４】
ここで、配信規格は、「映像情報の圧縮方式」と「配信画面情報」と「配信伝送速度」とを含む。「映像情報の圧縮方式」は、画像コーデック種別（バージョン情報の種別も含む）及び音声コーデック種別（バージョン情報の種別も含む）を示すものである。「配信画面情報」は、配信する映像情報の画素数（例えば、１０２４×７６８ピクセル等）及び画面サイズ（例えば、縦横比４：３や１６：９等）を示すものである。「配信伝送速度」は、映像情報を配信する際の実効伝送速度（例えば、６４Ｋｂｐｓ等）を示すものである。
【００４５】
なお、配信規格は、上述の事項のみを含むものに限定するものではなく、映像情報の配信方法を示すものであれば、上述の事項以外を含むように構成されていてもよい。
【００４６】
最適値解析部２４は、映像内容数値化部２２からの二次数値（画像耐圧縮係数及び音声耐圧縮係数、第１の係数）及び配信規格取得部２３からの配信規格に基づいて、映像情報についての最適な変換処理方法を決定する変換方法決定部を構成する。
【００４７】
ここで、変換処理方法には、画像信号の配信伝送速度（データレート）と、画像信号フレームレートと、音声信号の配信伝送速度（データレート）と、音声信号サンプリングレートとが含まれる。なお、変換処理方法は、これらに限定されるものではなく、二次数値及び配信規格に基づいて有効に決定可能なものであれば、他の情報を含むものであってもよい。また、最適な変換処理方法とは、最も画質の劣化が小さい状態で映像情報を再生可能である変換処理方法のことをいう。
【００４８】
また、最適値解析部２４は、映像情報を配信する際の変換処理に必要な情報を管理するように構成されている。
【００４９】
具体的には、最適値解析部２４は、図４に示すように、圧縮方式（バージョン情報含む）毎に、「劣化係数（第２の係数）」、「画像耐圧縮係数（第１の係数）」、「音声耐圧縮係数（第１の係数）」、「配信画面情報」、「配信伝送速度」のそれぞれに対応する重み付け係数を管理する。
【００５０】
図４の例では、「リアルメディアＶｅｒ．１（圧縮方式）」では、「劣化係数」、「画像耐圧縮係数」、「音声耐圧縮係数」、「配信画面情報」、「配信伝送速度」のそれぞれに対応する重み付け係数は、「２、５、５、１０、１０」である。
【００５１】
また、「リアルメディアＶｅｒ．２（圧縮方式）」では、「劣化係数」、「画像耐圧縮係数」、「音声耐圧縮係数」、「配信画面情報」、「配信伝送速度」のそれぞれに対応する重み付け係数は、「２、５、４、１０、１０」である。
【００５２】
また、「ウィンドウズメディアＶｅｒ．１（圧縮方式）」では、「劣化係数」、「画像耐圧縮係数」、「音声耐圧縮係数」、「配信画面情報」、「配信伝送速度」のそれぞれに対応する重み付け係数は、「１、４、４、９、９」である。
【００５３】
また、「ウィンドウズメディアＶｅｒ．２（圧縮方式）」では、「劣化係数」、「画像耐圧縮係数」、「音声耐圧縮係数」、「配信画面情報」、「配信伝送速度」のそれぞれに対応する重み付け係数は、「１、４、４、９、１０」である。
【００５４】
ここで、「劣化係数」は、当該圧縮方式による映像情報の劣化度合に係るものであり、単位時間あたりの映像情報の情報量と配信伝送速度とに基づいて算出される。なお、「劣化係数（第２の係数）」は、圧縮方式とソフトウエアとハードウエアとの組み合わせ毎に決定されるものである。
【００５５】
具体的には、「劣化係数」は、下式において、劣化度が１以下になるように設定される係数である。
【００５６】
（劣化係数）×（単位時間あたりの映像情報の情報量）÷（配信伝送速度）＝（劣化度）
ここで、単位時間あたりの映像情報の情報量は、輝度信号スペクトル量と色信号スペクトル量と動き量と音声信号スペクトル量との単位時間あたりの合計である。
【００５７】
また、上述の重み付け係数は、ベンチマークテスト結果取得部２８からの所定のベンチマークテストの結果（後述）に基づいて最適値に更新されるように構成されている。また、上述の重み付け係数は、変換後品質測定部２６によって測定された変換処理後の映像情報の品質結果（後述）、又は、配信後品質測定部２７によって測定された配信後の映像情報の品質結果（後述）に基づいて、最適値に更新されるように構成されていてもよい。
【００５８】
具体的には、最適値解析部２４は、劣化係数と、画像耐圧縮係数と、音声耐圧縮係数と、配信画面情報と、配信伝送速度とについて、それぞれに対応する重み付け係数（図４参照）による重み付け処理を行うことによって、最適な変換処理方法を決定する。
【００５９】
変換部２５は、最適値解析部２４によって決定された変換処理方法に基づいて、映像情報についての変換処理を行うものである。具体的には、変換部２５は、映像信号について、最適値解析部２４によって決定された画像信号の配信伝送速度（データレート）と画像信号フレームレートと音声信号の配信伝送速度（データレート）と音声信号サンプリングレートとを採用して、配信規格で指定されている圧縮方式で、符号化処理及び圧縮処理を行う。変換部２５は、変換処理を施した配信用映像データ２を配信システム４０及び変換後品質測定部２６に送信する。
【００６０】
変換後品質測定部２６は、変換部２５からの配信用映像データ（変換処理後の映像情報）２の品質を測定するものである。具体的には、変換後品質測定部２６は、変換処理後の映像情報が予測された劣化度内に収まっているか否かについての検証を行う。また、変換後品質測定部２６は、測定結果（例えば、誤差等）について、映像内容数値化部２２及び最適値解析部２４に送信する。
【００６１】
配信後品質測定部２７は、配信システム４０から配信され、再生端末１０において再生された配信後の映像情報の品質を測定するものである。具体的には、配信後品質測定部２７は、配信後の映像情報が予測された劣化度内に収まっているか否かについての検証を行う。また、配信後品質測定部２７は、測定結果（例えば、誤差等）について、映像内容数値化部２２及び最適値解析部２４に送信する。
【００６２】
配信後品質測定部２７は、配信サービスの開始前の事前配信テストとして、配信後の映像情報の品質を測定することができ、また、配信サービスの開始後に、定期的に配信後の映像情報の品質を測定することもできる。
【００６３】
また、変換後品質測定部２６及び配信後品質測定部２７は、図５（ａ）に示す比較法や、図５（ｂ）に示す単一法等によって、差分表示測定やＤＳＣＱＳ法測定やＰＱＲ値測定やブロックノイズ測定等の手法を用いて、映像情報についての品質測定を行うように構成されていてもよい。
【００６４】
ベンチマークテスト結果取得部２８は、新しい圧縮方式や配信サービスやソフトウエアやハードウエア等についてベンチマークテストを行い、その結果を映像内容数値化部２２及び最適値解析部２４に送信する。ベンチマークテスト結果取得部２８は、上述のベンチマークテストによって、上述の影響度や重み付け係数についての最適値を算出するように構成されている。
【００６５】
配信システム４０は、配信用映像データ（変換処理後の映像情報）２を、ネットワークＡを介して、再生端末１０に配信するものである。配信システム４０は、図６に示すように、配信部４１と、限定配信部４２と、配信管理部４３とを具備している。
【００６６】
配信部４１は、配信管理部４３によって管理されている情報に基づいて、ネットワークＡを介して、所定の配信期間中に所定の配信用映像データ２を再生端末１０に対して配信するものである。
【００６７】
限定配信部４２は、配信管理部４３によって管理されている情報に基づいて、配信後の映像情報についての事前の品質測定（事前配信テスト）のために、所定の配信用映像データ２を、所定の配信期間中に、所定の再生端末１０に対して配信するものである。また、限定配信部４２は、所定の配信用映像データ２を、所定の配信期間中に、任意の再生端末１０に対して配信し、パスワードを知っているユーザのみが、限定配信部４２により配信された所定の配信用映像データ２を再生できるように構成されていてもよい。
【００６８】
配信管理部４３は、所定の配信用映像データと、所定の配信期間と、当該配信用映像データを再生可能な再生端末（又は、再生に必要なパスワード）とを管理するものである。
【００６９】
（本発明の一実施形態に係るシステムの動作）
本実施形態に係るシステムの動作について、図７乃至図９を参照して説明する。
【００７０】
図７に示すように、ステップ１００１において、映像変換システム２０の原映像情報取得部２１が、広告情報等の原映像情報１を取得する。
【００７１】
ステップ１００２において、映像変換システム２０の映像内容数値化部２２が、取得した原映像情報１の映像内容を数値化する。ここで、映像内容数値化部２２によって行われる処理について、図８を参照して説明する。
【００７２】
図８に示すように、ステップ２００１乃至２００４において、映像内容数値化部２２は、取得した原映像情報１から、輝度信号スペクトルと色信号スペクトルと動きベクトルと音声信号スペクトルとを抽出する。
【００７３】
ステップ２００５乃至２００８において、映像内容数値化部２２は、抽出した各情報について、情報量平均偏差（又は、動き量平均偏差）及び情報量急変発生頻度（又は、動き量急変発生頻度）を、一次数値として算出する。
【００７４】
ステップ２００９において、映像内容数値化部２２は、輝度信号スペクトルと色信号スペクトルと動きベクトルに係る一次数値と、これらに対応する影響度とに基づいて、画像耐圧縮係数（二次数値）を算出する。ステップ２０１０において、映像内容数値化部２２は、音声信号スペクトルに係る一次数値と、これに対応する影響度とに基づいて、音声耐圧縮係数（二次数値）を算出する。
【００７５】
ステップ１００３において、映像変換システム２０の最適値解析部２４は、映像内容数値化部２２からの二次数値（画像耐圧縮係数及び音声耐圧縮係数）及び配信規格取得部２３からの配信規格に基づいて、映像情報についての最適な変換処理方法を決定する。ここで、最適値解析部２４によって行われる処理について、図９を参照して説明する。
【００７６】
図９に示すように、ステップ３００１において、最適値解析部２４は、映像内容数値化部２２から二次数値を取得すると共に、配信規格取得部２３から配信規格を取得する。
【００７７】
ステップ３００２において、最適値解析部２４は、劣化係数と画像耐圧縮係数と音声耐圧縮係数と配信画面情報と配信伝送速度とについて、それぞれに対応する重み付け係数（図４参照）による重み付け処理を行う。なお、配信規格には、劣化係数と配信画面情報と配信伝送速度とが含まれている。
【００７８】
ステップ３００３において、最適値解析部２４は、重み付け処理が施された劣化係数と画像耐圧縮係数と音声耐圧縮係数と配信画面情報と配信伝送速度とに基づいて、最適な変換処理方法を決定する。
【００７９】
ステップ１００４において、映像変換システム２０の変換部２５は、最適値解析部２４によって決定された変換処理方法を用いて、原映像情報１について変換処理を行うことによって、配信用映像データ２を取得する。
【００８０】
ステップ１００５において、配信システム４０の配信部４１が、映像変換システム２０の変換部２５から取得した配信用映像データ２を、ネットワークＡを介して再生端末１０に配信する。
【００８１】
（本発明の一実施形態に係るシステムの作用・効果）
本実施形態に係るシステムによれば、映像変換システム２０の変換部２５が、映像情報の特徴を表す複数の一次数値（情報量平均偏差（又は、動き量平均偏差）及び情報量急変発生頻度（動き量急変発生頻度））と、当該一次数値による映像情報の圧縮処理に対する影響度とに基づいて、当該映像情報についての圧縮し難さ（画像耐圧縮係数及び音声耐圧縮係数）を算出することができる。その結果、変換部２５は、当該圧縮し難さに基づいて、上述の変換処理の一つである圧縮処理の最適化を図ることによって、視聴者によって視聴される広告映像の品質を一定以上の水準に保つことが可能となる。
【００８２】
【発明の効果】
本発明によれば、映像情報をその特徴に応じて数値化することによって、客観的に当該映像情報を配信する際の変換処理の最適化を図ることができ、視聴者によって視聴される映像情報の品質を一定以上の水準に保つことを可能とする映像変換システム及び映像変換方法を提供することができる。
【図面の簡単な説明】
【図１】本発明の一実施形態に係るシステムの全体構成図である。
【図２】本発明の一実施形態に係る映像変換システムの機能ブロック図である。
【図３】本発明の一実施形態に係る映像変換システムの映像内容数値化部によって管理される情報を示す図である。
【図４】本発明の一実施形態に係る映像変換システムの最適値解析部によって管理される情報を示す図である。
【図５】本発明の一実施形態に係る映像変換システムの変換後品質測定部及び配信後品質測定部の動作を説明するための図である。
【図６】本発明の一実施形態に係る配信システムの機能ブロック図である。
【図７】本発明の一実施形態において映像情報を配信する動作を示すフローチャートである。
【図８】本発明の一実施形態において映像情報を配信する際の映像変換システムの映像内容数値化部の動作を示すフローチャートである。
【図９】本発明の一実施形態において映像情報を配信する際の映像変換システムの最適値解析部の動作を示すフローチャートである。
【図１０】従来技術において映像情報を配信する動作を示すフローチャートである。
【符号の説明】
１…原映像情報
２…配信用映像データ
１０…再生端末
２０…映像変換システム
２１…原映像情報取得部
２２…映像内容数値化部
２３…配信規格取得部
２４…最適値解析部
２５…変換部
２６…変換後品質測定部
２７…配信後品質測定部
２８…ベンチマークテスト結果取得部
４０…配信システム
４１…配信部
４２…限定配信部
４３…配信管理部
【図１】
2004336171.tif 000003
【図２】
2004336171.tif 000004
【図３】
2004336171.tif 000005
【図４】
2004336171.tif 000006
【図５】
2004336171.tif 000007
【図６】
2004336171.tif 000008
【図７】
2004336171.tif 000009
【図８】
2004336171.tif 000010
【図９】
2004336171.tif 000011
【図１０】
2004336171.tif 000012